(57)【要約】【課題】  無線通信システムの無線資源制御効率を向上させることを目的に、無線通信システムのユーザー端末においてＣＰＣを改善するＨＳ−ＳＣＣＨ削減動作モードの設定方法及び関連装置を提供する。【解決手段】  方法は、ＵＥでＨＳ−ＳＣＣＨ削減動作（ＨＳ−ＳＣＣＨ  ｌｅｓｓ  ｏｐｅｒａｔｉｏｎ）モードを起動する前に、ＨＳ−ＳＣＣＨ削減情報要素のうちＨＳ−ＰＤＳＣＨ  Ｃｏｄｅ  Ｉｎｄｅｘ変数に基づいて第一ＨＳ−ＰＤＳＣＨチャネルコードを設定する段階と、ＨＳ−ＳＣＣＨ削減情報要素のうち、１ビットで表示されるブール変数に基づいて第二ＨＳ−ＰＤＳＣＨチャネルコードを設定する段階とを含む。【選択図】図３
2008154247.tif 000002
【特許請求の範囲】
【請求項１】
無線通信システムのユーザー端末（ＵＥ）においてＣＰＣ（パケットの継続的連続性）を改善するＣＰＣ改善方法であって、
ＵＥでＨＳ−ＳＣＣＨ削減動作（ＨＳ−ＳＣＣＨ  ｌｅｓｓ  ｏｐｅｒａｔｉｏｎ）モードを起動する前に、ＨＳ−ＳＣＣＨ削減情報要素のうちＨＳ−ＰＤＳＣＨ  Ｃｏｄｅ  Ｉｎｄｅｘ変数に基づいて第一ＨＳ−ＰＤＳＣＨチャネルコードを設定する段階と、
ＨＳ−ＳＣＣＨ削減情報要素のうち、１ビットで表示されるブール変数に基づいて第二ＨＳ−ＰＤＳＣＨチャネルコードを設定する段階とを含むことを特徴とするＣＰＣ改善方法。
【請求項２】
前記ＨＳ−ＰＤＳＣＨ  Ｃｏｄｅ  Ｉｎｄｅｘ変数は４ビットで表示されることを特徴とする請求項１に記載のＣＰＣ改善方法。
【請求項３】
前記第二ＨＳ−ＰＤＳＣＨチャネルコードは第一ＨＳ−ＰＤＳＣＨチャネルコードの隣接チャネルコードであることを特徴とする請求項１に記載のＣＰＣ改善方法。
【請求項４】
前記第二ＨＳ−ＰＤＳＣＨチャネルコードは第一ＨＳ−ＰＤＳＣＨチャネルコードの次のチャネルコードであることを特徴とする請求項１に記載のＣＰＣ改善方法。
【請求項５】
前記方法は更に、
前記ブール変数が「真」となった場合に、ＵＥで第一ＨＳ−ＰＤＳＣＨチャネルコードと第二ＨＳ−ＰＤＳＣＨチャネルコードを併用して、対応したサイズを有するトランスポートブロックを受信する段階を含むことを特徴とする請求項３に記載のＣＰＣ改善方法。
【請求項６】
前記方法は更に、
前記ブール変数が「偽」となった場合に、ＵＥで第一ＨＳ−ＰＤＳＣＨチャネルコードのみ利用して、対応したサイズを有するトランスポートブロックを受信する段階を含むことを特徴とする請求項３に記載のＣＰＣ改善方法。
【請求項７】
無線通信システムにおいてＣＰＣを改善するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、該プログラムコードは、
通信装置でＨＳ−ＳＣＣＨ削減動作モードを起動する前に、ＨＳ−ＳＣＣＨ削減情報要素のうちＨＳ−ＰＤＳＣＨ  Ｃｏｄｅ  Ｉｎｄｅｘ変数に基づいて第一ＨＳ−ＰＤＳＣＨチャネルコードを設定するコードと、
ＨＳ−ＳＣＣＨ削減情報要素のうち、１ビットで表示されるブール変数に基づいて第二ＨＳ−ＰＤＳＣＨチャネルコードを設定するコードとを含むことを特徴とする通信装置。
【請求項８】
前記ＨＳ−ＰＤＳＣＨ  Ｃｏｄｅ  Ｉｎｄｅｘ変数は４ビットで表示されることを特徴とする請求項７に記載の通信装置。
【請求項９】
前記第二ＨＳ−ＰＤＳＣＨチャネルコードは第一ＨＳ−ＰＤＳＣＨチャネルコードの隣接チャネルコードであることを特徴とする請求項７に記載の通信装置。
【請求項１０】
前記第二ＨＳ−ＰＤＳＣＨチャネルコードは第一ＨＳ−ＰＤＳＣＨチャネルコードの次のチャネルコードであることを特徴とする請求項７に記載の通信装置。
【請求項１１】
前記装置は更に、
前記ブール変数が「真」となった場合に、ＵＥで第一ＨＳ−ＰＤＳＣＨチャネルコードと第二ＨＳ−ＰＤＳＣＨチャネルコードを併用して、対応したサイズを有するトランスポートブロックを受信するコードを含むことを特徴とする請求項９に記載の通信装置。
【請求項１２】
前記装置は更に、
前記ブール変数が「偽」となった場合に、ＵＥで第一ＨＳ−ＰＤＳＣＨチャネルコードのみ利用して、対応したサイズを有するトランスポートブロックを受信するコードを含むことを特徴とする請求項９に記載の通信装置。
【請求項１３】
無線通信システムのＵＥにおいて資源復号化を指示する資源復号化の指示方法であって、
ＵＥでモードを起動する前に、第一資源ブロックを設定して、データチャネルのデータを受信する段階と、
１ビットで表示されるブール変数に基づいて、第一資源ブロックと隣接した第二資源ブロックを設定し、第一資源ブロックと第二資源ブロックを併用してデータチャネルのデータを受信する段階とを含み、そのうちＵＥは上記モードで制御チャネルをモニターせず、データチャネルからデータを直接受信することを特徴とする資源復号化の指示方法。
【請求項１４】
無線通信システムにおいて復号資源を設定する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、該プログラムコードは、
通信装置でモードを起動する前に、第一資源ブロックを設定して、データチャネルのデータを受信するコードと、
１ビットで表示されるブール変数に基づいて、第一資源ブロックと隣接した第二資源ブロックを設定し、第一資源ブロックと第二資源ブロックを併用してデータチャネルのデータを受信するコードとを含み、そのうち通信装置は上記モードで制御チャネルをモニターせず、データチャネルからデータを直接受信することを特徴とする通信装置。
【発明の詳細な説明】
【技術分野】
【０００１】
本発明は無線通信システムにおいてＣＰＣ（パケットの継続的連続性）を改善する方法及び装置に関し、特に無線通信システムにおいてＣＰＣを改善するＨＳ−ＳＣＣＨ削減動作モードの設定方法及び装置に関する。
【背景技術】
【０００２】
第三世代移動通信技術はＷＣＤＭＡ（広帯域多元分割接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。第三世代移動通信システムでは動画鑑賞、電話会議、オンラインゲーム、オンラインミュージック再生、電子メールを楽しむことができる。もっとも、これらの機能は迅速かつ実時間のデータ送信機能に頼る。
【０００３】
帯域幅の利用効率とパケットデータの処理効率を向上させ、上り・下りの送信速度を改善することを目的に、従来の第三世代移動通信技術にはＨＳＤＰＡ（高速ダウンリンクパケットアクセス）とＨＳＵＰＡ（高速アップリンクパケットアクセス）が導入された。また、３ＧＰＰはＣＥＬＬ＿ＤＣＨ（セル専用チャネル）状態でのユーザー端末（ＵＥ）についてＣＰＣ（パケットの継続的連続性）という概念を導入して、セルのサービス対象端末の数量を増やし、アップリンクチャネルの雑音を抑制し、ＵＥの音声パケットサービスの受信性能を向上させる。
【０００４】
ＨＳＤＰＡシステムでは、ＵＥの物理層はＨＳ−ＰＤＳＣＨ（高速物理ダウンリンク共用チャネル）を通してペイロードデータを受信し、ＨＳ−ＤＰＣＣＨ（高速物理制御チャネル）を通して肯定応答／否定応答（ＡＣＫ／ＮＡＣＫ）メッセージとＣＱＩ（チャネル品質識別子）情報を送信する。ＭＡＣ（媒体アクセス制御）層はＭＡＣ−ｈｓエンティティーでＨＳ−ＤＳＣＨ（高速ダウンリンク共用チャネル）を通してペイロードデータからデータパケットを受信する。また、ＨＳ−ＤＳＣＨの制御信号（例えば復調情報）を運ぶ物理ダウンリンクチャネルとしてＨＳ−ＳＣＣＨ（ＨＳ−ＤＳＣＨ共用制御チャネル）がある。
【０００５】
ＣＰＣでは、高速共用制御チャネル削減動作（ＨＳ−ＳＣＣＨ  ｌｅｓｓ  ｏｐｅｒａｔｉｏｎ）モードはＨＳ−ＳＣＣＨでの制御信号伝送を削減し、ＵＥの電力消費を節減する効果がある。このモードでは、ＨＳ−ＳＣＣＨでトラスポートブロックのＨＡＲＱ（ハイブリッド自動リピート要求）プロセスの初回送信を行うときに、ネットワークはＨＳ−ＳＣＣＨを通して関連の制御信号を送信しない。この場合、ＵＥは所定のトランスポートブロック形式と物理チャネルコードに基づいてブラインドデコーディング方式でトランスポートブロックのデータを復号しなければならない。
【０００６】
復号が成功した場合にＵＥでＨＳ−ＤＰＣＣＨを通して肯定応答（ＡＣＫ）メッセージを基地局に返送し、復号が失敗した場合にＵＥでメッセージを返送せずに基地局の再送を待ち受ける。注意すべきは、ＨＳ−ＳＣＣＨ削減動作モードでは、ＨＡＲＱ再送は２回に限られ、再送時にネットワークはＨＳ−ＳＣＣＨを通して物理チャネルコードセット、トランスポートブロックサイズ、時間インデックス、ユーザーＩＤなど所要の制御信号を送信し、ＵＥはＡＣＫ（肯定応答）やＮＡＣＫ（否定応答）メッセージを通報して送信プロセスを適時に終了する。
【０００７】
無線資源制御（ＲＲＣ）について、ＵＥとネットワーク（基地局またはＲＮＣ（無線ネットワークコントローラ））は上記モードとパラメータをＲＲＣメッセージと情報要素（ＩＥ）に載せて交換することで、ＣＰＣ機能の信号とプロセス設定を行う。３ＧＰＰが規定したＲＲＣプロトコルによれば、ネットワークはＣＰＣ  ＨＳ−ＳＣＣＨ削減情報要素でＨＳ−ＳＣＣＨ削減動作モードの起動に必要なパラメータと設定をＵＥに通報する。
【０００８】
そのうちＨＳ−ＰＤＳＣＨ  Ｃｏｄｅ  Ｉｎｄｅｘ変数はＵＥに必要なＨＳ−ＰＤＳＣＨコードの設定に用いられ、Ｔｒａｎｓｐｏｒｔ  Ｂｌｏｃｋ  Ｓｉｚｅ  Ｌｉｓｔ変数はネットワークで伝送可能なトランスポートブロックのサイズをＵＥに通報した場合に用いられ、Ｔｒａｎｓｐｏｒｔ  Ｂｌｏｃｋ  Ｓｉｚｅ  Ｉｎｄｅｘ変数は、Ｔｒａｎｓｐｏｒｔ  Ｂｌｏｃｋ  Ｓｉｚｅ  Ｌｉｓｔ変数に含まれた各トランスポートブロックのサイズを通報した場合に用いられ、ＨＳ−ＰＤＳＣＨ  Ｓｅｃｏｎｄ  Ｃｏｄｅ  Ｓｕｐｐｏｒｔ変数は、Ｔｒａｎｓｐｏｒｔ  Ｂｌｏｃｋ  Ｓｉｚｅ  Ｌｉｓｔ変数に含まれた各トランスポートブロックに対してＨＳ−ＰＤＳＣＨセカンドコードが必要であるかを指示する場合に用いられる。Ｔｒａｎｓｐｏｒｔ  Ｂｌｏｃｋ  Ｓｉｚｅ  Ｌｉｓｔ変数にＨＳ−ＰＤＳＣＨセカンドコードを要するトランスポートブロックサイズが含まれていれば、ネットワークはＨＳ−ＰＤＳＣＨ  Ｓｅｃｏｎｄ  Ｃｏｄｅ  Ｉｎｄｅｘ変数でＵＥに必要なＨＳ−ＰＤＳＣＨセカンドコードを設定する。
【０００９】
したがって、ＵＥはトランスポートブロックのサイズに応じて、ＨＳ−ＰＤＳＣＨ  Ｓｅｃｏｎｄ  Ｃｏｄｅ  Ｓｕｐｐｏｒｔ変数に基づいて第二ＨＳ−ＰＤＳＣＨチャネルコードのみ用いるか、または第一ＨＳ−ＰＤＳＣＨ  チャネルコードと第二ＨＳ−ＰＤＳＣＨチャネルコードと併用してＨＳ−ＰＤＳＣＨを通してトランスポートブロックのサイズを受信し、トランスポートブロックのデータを取得する。
【００１０】
当業者に周知のとおり、ＨＳ−ＰＤＳＣＨには１６のチャネルコード（拡散率とも称する）が含まれるので、従来の技術では４ビット（すなわちＨＳ−ＰＤＳＣＨ  Ｃｏｄｅ  Ｉｎｄｅｘ変数）でＯＶＳＦ（直交可変拡散率）ツリーにおける第一ＨＳ−ＰＤＳＣＨ  チャネルコードの位置を示し、他の４ビット（ＨＳ−ＰＤＳＣＨ  Ｓｅｃｏｎｄ  Ｃｏｄｅ  Ｓｕｐｐｏｒｔ変数）で第二ＨＳ−ＰＤＳＣＨチャネルコードの位置を示す。そうすると、第一ＨＳ−ＰＤＳＣＨ  チャネルコードを表示する４ビット以外、第二ＨＳ−ＰＤＳＣＨ  チャネルコードも必要とされた場合、ネットワークは別途の４ビット（ＨＳ−ＰＤＳＣＨ  Ｓｅｃｏｎｄ  Ｃｏｄｅ  Ｉｎｄｅｘ変数）で第二ＨＳ−ＰＤＳＣＨチャネルコードを設定するので、無線資源の浪費をもたらす。
【発明の開示】
【発明が解決しようとする課題】
【００１１】
本発明は無線通信システムのＲＲＣ効率を向上させることを目的に、無線通信システムのユーザー端末（ＵＥ）においてＣＰＣを改善するＨＳ−ＳＣＣＨ削減動作モードの設定方法及び関連装置を提供することを課題とする。
【課題を解決するための手段】
【００１２】
本発明は無線通信システムのユーザー端末（ＵＥ）においてＣＰＣ（パケットの継続的連続性）を改善する方法を提供する。該方法は、ＵＥでＨＳ−ＳＣＣＨ削減動作（ＨＳ−ＳＣＣＨ  ｌｅｓｓ  ｏｐｅｒａｔｉｏｎ）モードを起動する前に、ＨＳ−ＳＣＣＨ削減情報要素のうちＨＳ−ＰＤＳＣＨ  Ｃｏｄｅ  Ｉｎｄｅｘ変数に基づいて第一ＨＳ−ＰＤＳＣＨチャネルコードを設定する段階と、ＨＳ−ＳＣＣＨ削減情報要素のうち、１ビットで表示されるブール変数に基づいて第二ＨＳ−ＰＤＳＣＨチャネルコードを設定する段階とを含む。
【００１３】
本発明は更に、無線通信システムにおいてＣＰＣを改善するための通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、通信装置でＨＳ−ＳＣＣＨ削減動作モードを起動する前に、ＨＳ−ＳＣＣＨ削減情報要素のうちＨＳ−ＰＤＳＣＨ  Ｃｏｄｅ  Ｉｎｄｅｘ変数に基づいて第一ＨＳ−ＰＤＳＣＨチャネルコードを設定するコードと、ＨＳ−ＳＣＣＨ削減情報要素のうち、１ビットで表示されるブール変数に基づいて第二ＨＳ−ＰＤＳＣＨチャネルコードを設定するコードとを含む。
【００１４】
本発明は更に、無線通信システムのＵＥにおいて資源復号化を指示する方法を提供する。該方法は、ＵＥでモードを起動する前に、第一資源ブロックを設定して、データチャネルのデータを受信する段階と、１ビットで表示されるブール変数に基づいて、第一資源ブロックと隣接した第二資源ブロックを設定し、第一資源ブロックと第二資源ブロックを併用してデータチャネルのデータを受信する段階とを含む。そのうちＵＥは上記モードで制御チャネルをモニターせず、データチャネルからデータを直接受信する。
【００１５】
本発明は更に、無線通信システムにおいて復号資源を設定する通信装置を提供する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む、該プログラムコードは、通信装置でモードを起動する前に、第一資源ブロックを設定して、データチャネルのデータを受信するコードと、１ビットで表示されるブール変数に基づいて、第一資源ブロックと隣接した第二資源ブロックを設定し、第一資源ブロックと第二資源ブロックを併用してデータチャネルのデータを受信するコードとを含む。そのうち通信装置は上記モードで制御チャネルをモニターせず、データチャネルからデータを直接受信する。
【発明の効果】
【００１６】
本発明はネットワークの送信ビット数を節減し、無線通信システムの無線資源制御効率を向上させることができる。
【発明を実施するための最良の形態】
【００１７】
かかる方法及び装置の特徴を詳述することを目的に、具体的な実施例を挙げ、図を参照にして以下に説明する。
【００１８】
図１を参照する。図１は無線通信装置１００のブロック図である。説明を簡素化することを目的として、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。
【００１９】
無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。無線通信装置１００は望ましくは第三世代移動通信システムの高速パケットアクセスシステムに用いられ、ＣＰＣ機能をサポートする。
【００２０】
図２を参照する。図２は図１に示すプログラムコード１１２を表す説明図である。プログラムコード１１２はアプリケーション層２００と、第三層２０２と、第一層２１８と接続される第二層２０６を備える。
【００２１】
第三層２０２には、第一層２１８、第二層２０６及びネットワークの通信装置（基地局またはＵＴＲＡＮ）を制御してピア・ツー・ピア方式で交信させるＲＲＣエンティティー２２２が設けられる。ＲＲＣエンティティー２２２は無線通信装置１００のＲＲＣ状態を変更し、例えばネットワークシステムの要求あるいは通信環境の変換に応じてアイドリング状態、ＣＥＬＬ＿ＰＣＨ（セルページングチャネル）状態、ＵＲＡ＿ＰＣＨ（ＵＴＲＡＮ登録領域ページングチャネル）状態、ＣＥＬＬ＿ＦＡＣＨ（セルフォワードチャネル）状態、またはＣＥＬＬ＿ＤＣＨ（セル専用チャネル）状態に切り替える。
【００２２】
第二層２０６にはＲＬＣ（無線リンク制御）層とＭＡＣ（媒体アクセス制御）層が設けられる。ＲＬＣ層は論理チャネルを通してＭＡＣ層とパケットを交換することで無線リンクを確立する。ＭＡＣ層はトランスポートチャネルを通して他のＭＡＣ層とパケットを交換する。
【００２３】
第一層２１８は物理層であって、複数の物理チャネルで無線フレームを受発信する。ＨＳＤＰＡシステムでは、ＭＡＣ層はＨＳ−ＤＳＣＨ（ダウンリンクデータチャネル）を通して物理層からパケットを受信し、物理層はＨＳ−ＰＤＳＣＨ（ダウンリンクデータチャネル）、ＨＳ−ＤＰＣＣＨ（アップリンク制御チャネル）及びＨＳ−ＳＣＣＨ（ダウンリンク制御チャネル）を通して基地局かＵＴＲＡＮと物理データを交換する。
【００２４】
ネットワークの通信装置はＲＲＣメッセージとＩＥを生成し、無線ベアラ（ＲＢ）を通してＣＰＣ機能の構成設定を無線通信装置１００に送信する。ＣＰＣのＨＳ−ＳＣＣＨ削減動作モードを起動する前、無線通信装置１００はネットワークの通信装置からのＨＳ−ＳＣＣＨ削減情報要素に基づいて、ＨＳ−ＳＣＣＨ削減動作モードの所要パラメータを設定する。それに鑑みて、本発明は上記プログラムコード１１２にＨＳ−ＳＣＣＨ削減動作モード設定プログラムコード２２０を設け、ＣＰＣのＨＳ−ＳＣＣＨ削減動作モードを設定してシステム無線資源制御の効率を向上させる。
【００２５】
図３を参照する。図３は本発明による方法３０のフローチャートである。下記方法３０は無線通信システムのユーザー端末（ＵＥ）においてＣＰＣのＨＳ−ＳＣＣＨ削減動作モードの改善に用いられ、ＨＳ−ＳＣＣＨ削減動作モード設定プログラムコード２２０としてコンパイルすることができる。
【００２６】
ステップ３００：開始。
ステップ３０２：ＵＥでＨＳ−ＳＣＣＨ削減動作モードを起動する前に、ＨＳ−ＳＣＣＨ削減情報要素のうちＨＳ−ＰＤＳＣＨ  Ｃｏｄｅ  Ｉｎｄｅｘ変数に基づいて第一ＨＳ−ＰＤＳＣＨチャネルコードを設定する。
ステップ３０４：ＨＳ−ＳＣＣＨ削減情報要素のうちブール変数に基づいて第二ＨＳ−ＰＤＳＣＨチャネルコードを設定する。該ブール変数は１ビットで表示され、該第二ＨＳ−ＰＤＳＣＨチャネルコードは第一ＨＳ−ＰＤＳＣＨチャネルコードの隣接チャネルコードである。
ステップ３０６：終了。
【００２７】
以上のとおり、無線通信装置１００でＨＳ−ＳＣＣＨ削減動作モードを起動する前、本発明はＨＳ−ＳＣＣＨ削減情報要素のうちＨＳ−ＰＤＳＣＨ  Ｃｏｄｅ  Ｉｎｄｅｘ変数に基づいて第一ＨＳ−ＰＤＳＣＨチャネルコードを設定し、更に同情報要素に含まれた１ビットで表示されるブール（Ｂｏｏｌｅａｎ）変数に基づいて第二ＨＳ−ＰＤＳＣＨチャネルコードを設定する。該ブール変数は他に、第一ＨＳ−ＰＤＳＣＨチャネルコードと第二ＨＳ−ＰＤＳＣＨチャネルコードを併用して、対応したサイズを有するトランスポートブロックを受信するように無線通信装置１００に指示する。第二ＨＳ−ＰＤＳＣＨチャネルコードは望ましくは、ＯＶＳＦツリーにおける第一ＨＳ−ＰＤＳＣＨチャネルコードの隣接チャネルコード（例えば次のチャネルのコード）である。
【００２８】
なお、ＨＳ−ＳＣＣＨ削減情報要素は更に、Ｔｒａｎｓｐｏｒｔ  Ｂｌｏｃｋ  Ｓｉｚｅ  Ｌｉｓｔ変数とＴｒａｎｓｐｏｒｔ  Ｂｌｏｃｋ  Ｓｉｚｅ  Ｉｎｄｅｘ変数を含む。Ｔｒａｎｓｐｏｒｔ  Ｂｌｏｃｋ  Ｓｉｚｅ  Ｌｉｓｔ変数は、ネットワークで送信可能なトランスポートブロックサイズを無線通信装置１００に通報した場合に用いられ、Ｔｒａｎｓｐｏｒｔ  Ｂｌｏｃｋ  Ｓｉｚｅ  Ｉｎｄｅｘ変数は、Ｔｒａｎｓｐｏｒｔ  Ｂｌｏｃｋ  Ｓｉｚｅ  Ｌｉｓｔ変数に含まれた各トランスポートブロックのサイズを指示するために用いられる。
【００２９】
したがって、本発明はブール変数に基づいて第二ＨＳ−ＰＤＳＣＨチャネルコードの設定情報を取得し、第一ＨＳ−ＰＤＳＣＨチャネルコードと第二ＨＳ−ＰＤＳＣＨチャネルコードを併用して、対応したサイズのトランスポートブロックを受信する。第二ＨＳ−ＰＤＳＣＨチャネルコードの設定に別途のインデックス変数（４ビットで表示されるＨＳ−ＰＤＳＣＨ  Ｓｅｃｏｎｄ  Ｃｏｄｅ  Ｉｎｄｅｘ変数）を要する従来の技術と比べ、本発明はネットワークの送信ビットを減少し、無線通信システムの無線資源制御の効率を向上させることができる。
【００３０】
例えば、上記ブール変数が「真」の場合、無線通信装置１００は第一ＨＳ−ＰＤＳＣＨチャネルコードと第二ＨＳ−ＰＤＳＣＨチャネルコードを併用して、対応したサイズのトランスポートブロックを受信する。この場合、無線通信装置１００で第一ＨＳ−ＰＤＳＣＨチャネルコードの次のチャネルコードを第二ＨＳ−ＰＤＳＣＨチャネルコードとして設定し、第一ＨＳ−ＰＤＳＣＨチャネルコードと第二ＨＳ−ＰＤＳＣＨチャネルコードを併用して、対応したサイズのトランスポートブロックを受信する。それに反して、上記ブール変数が「偽」の場合、無線通信装置１００は第一ＨＳ−ＰＤＳＣＨチャネルコードのみで対応したサイズのトランスポートブロックを受信し、第二ＨＳ−ＰＤＳＣＨチャネルコードを設定する必要はない。
【００３１】
上記ブール変数はＨＳ−ＰＤＳＣＨ  Ｓｅｃｏｎｄ  Ｃｏｄｅ  Ｉｎｄｅｘ変数であって、上記第二ＨＳ−ＰＤＳＣＨチャネルコードは第一ＨＳ−ＰＤＳＣＨチャネルコードの次のチャネルコードであるので、本発明では１ビットのみで第二ＨＳ−ＰＤＳＣＨチャネルコードの関連設定を行うことができる。ＨＳ−ＰＤＳＣＨ  Ｓｅｃｏｎｄ  Ｃｏｄｅ  Ｉｎｄｅｘ変数の送信に４ビットを用いる従来の技術と比べ、本発明はネットワークの送信ビット数を節減し、無線通信システムの無線資源制御効率を向上させることができる。
【００３２】
注意すべきは、本発明はＬＴＥ（ｌｏｎｇ−ｔｅｒｍ  ｅｖｏｌｕｔｉｏｎ）システムでの制御チャネル削減動作モードの復号資源の設定にも用いることができる。この場合、上記チャネルコードをＬＴＥに応じて資源ブロックに置き換えるだけでよい。したがって、ＬＴＥシステムで制御チャネル削減動作モードを起動した場合は、ブール変数だけで第二資源ブロックを設定し、第一資源ブロックと第二資源ブロックを併用してデータチャネルのデータを受信し、無線資源制御の効率を向上させることができる。したがって、ＬＴＥも本発明の範囲に属する。
【００３３】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３４】
本発明は従来の動作条件を変更したのみであり、実施することができる。
【図面の簡単な説明】
【００３５】
【図１】本発明による無線通信装置のブロック図である。
【図２】図１に示すプログラムコードを表す説明図である。
【図３】本発明による方法のフローチャートである。
【符号の説明】
【００３６】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  ＨＳ−ＳＣＣＨ削減動作モード設定プログラムコード
２２２  ＲＲＣエンティティー
【図１】
2008154247.tif 000003
【図２】
2008154247.tif 000004
【図３】
2008154247.tif 000005